(57)【要約】      （修正有）【課題】メンテナンスの手間を軽減しつつ、効率的に捕虫できる技術を提供する。【解決手段】この捕虫器１は、軸方向一方側へ光を出射する光源１２と、光源１２の軸方向一方側において軸方向他方側の気体を軸方向一方側へと排出するファン１５と、光源１２の軸方向一方側かつファン１５の軸方向他方側において光源１２からの光を径方向外側へと反射させる反射部材１４と、ファン１５の周方向外側を覆う筒状部２４１と、通気性を有する捕虫部材１６を筒状部２４１の軸方向一方側の開口を覆う位置に取り付ける捕虫部材取付部２４５とを有する。光源からの光を径方向外側に反射することにより、水平方向の広い範囲に光が届く。また、光により昆虫を誘引し、ファンを用いて吸気するため、捕虫器から離れた場所にいる昆虫も捕らえられる。また、交換が必要な誘引剤や粘着シートを必須の構成としていないため、メンテナンスの手間を軽減しつつ、効率的に補虫できる。【選択図】図４
2019122342.tif 000002
【特許請求の範囲】
【請求項１】
少なくとも軸方向一方側へ光を出射する光源と、
前記光源の軸方向一方側に前記光源と間隔を空けて配置され、軸方向他方側の気体を軸方向一方側へと排出するファンと、
前記光源の軸方向一方側かつ前記ファンの軸方向他方側に配置され、前記光源からの光を径方向外側へと反射させる反射部材と、
前記ファンの外側を覆う筒状部と、
通気性を有する捕虫部材を、前記筒状部の軸方向一方側の開口を覆う位置に取り付ける捕虫部材取付部と、
を有する、捕虫器。
【請求項２】
請求項１に記載の捕虫器であって、
複数の前記光源は、周方向に等間隔に配置され、
前記反射部材は、軸方向に沿って配置される円錐台または多角形錘台の傾斜面を有し、
前記光源と軸方向に重なる位置に前記傾斜面が配置される、捕虫器。
【請求項３】
請求項１または２に記載の捕虫器であって、
前記反射部材は、前記光源の光軸に沿う光を、軸方向に対して直交する方向よりもやや軸方向一方側へと反射する、捕虫器。
【請求項４】
請求項１ないし請求項３のいずれかに記載の捕虫器であって、
複数の前記光源は、
第１波長を中心波長とする、第１光源と、
前記第１波長とは異なる第２波長を中心波長とする、第２光源と、
を含む、捕虫器。
【請求項５】
請求項１ないし請求項４のいずれかに記載の捕虫器であって、
複数の前記光源は、４９５ｎｍ以上５７０ｎｍ以下の緑色波長帯域を中心波長とする光源を含む、捕虫器。
【請求項６】
請求項１ないし請求項５のいずれかに記載の捕虫器であって、
複数の前記光源は、３１５ｎｍ以上３８０ｎｍ以下の近紫外線ＵＶ−Ａ領域の波長帯域、または、３８０ｎｍ以上４５０ｎｍ以下の紫色波長帯域を中心波長とする光源を含む、捕虫器。
【請求項７】
請求項１ないし請求項６のいずれかに記載の捕虫器であって、
前記光源および前記反射部材の軸方向一方側、かつ、前記ファンの軸方向他方側に配置され、軸方向に沿う板状の粘着部材取付部
をさらに有する、捕虫器。
【請求項８】
請求項１ないし請求項７のいずれかに記載の捕虫器であって、
前記光源の軸方向他方側において径方向に拡がる傘部と、
少なくとも前記傘部から前記筒状部の軸方向他方側の開口までを筒状に覆う選択部材と、
をさらに有し、
前記選択部材は、複数の貫通孔を有する、捕虫器。
【発明の詳細な説明】
【技術分野】
【０００１】
本発明は、昆虫を捕獲するための捕虫器に関する。
【背景技術】
【０００２】
従来、誘引剤や誘引光を用いて昆虫を誘引し、昆虫を捕まえる捕虫器が知られている。近年、有機栽培の増加により、農薬を用いることなく、捕虫器によって捕獲することによって害虫となる昆虫を駆除する方法が特に注目されている。従来の捕虫器については、例えば、特許文献１および特許文献２に記載されている。
【先行技術文献】
【特許文献】
【０００３】
【特許文献１】特開２００７−２０９３２３号公報
【特許文献２】特許５２５２５０３号明細書
【発明の概要】
【発明が解決しようとする課題】
【０００４】
特許文献１および特許文献２に記載の捕虫器では、長時間継続して捕虫を行う場合、誘引剤や、粘着性の捕虫部材を定期的に取り替える必要がある。このため、農園などで複数の捕虫器を使用する場合、全ての捕虫器に部材の交換等のメンテナンスが必要となると、大きな手間となってしまう。
【０００５】
本発明は、このような事情に鑑みなされたものであり、メンテナンスの手間を軽減しつつ、効率的に捕虫できる技術を提供することを目的とする。
【課題を解決するための手段】
【０００６】
上記課題を解決するため、本願の第１発明は、捕虫器であって、少なくとも軸方向一方側へ光を出射する光源と、前記光源の軸方向一方側に前記光源と間隔を空けて配置され、軸方向他方側の気体を軸方向一方側へと排出するファンと、前記光源の軸方向一方側かつ前記ファンの軸方向他方側に配置され、前記光源からの光を径方向外側へと反射させる反射部材と、前記ファンの周方向外側を覆う筒状部と、通気性を有する捕虫部材を、前記筒状部の軸方向一方側の開口を覆う位置に取り付ける捕虫部材取付部とを有する。
【０００７】
本願の第２発明は、第１発明の捕虫器であって、複数の前記光源は、周方向に等間隔に配置され、前記反射部材は、軸方向に沿って配置される円錐台または多角形錘台の傾斜面を有し、前記光源と軸方向に重なる位置に前記傾斜面が配置される。
【０００８】
本願の第３発明は、第１発明または第２発明の捕虫器であって、前記反射部材は、前記光源の光軸に沿う光を、軸方向に対して直交する方向よりもやや軸方向一方側へと反射する。
【０００９】
本願の第４発明は、第１発明ないし第３発明のいずれかの捕虫器であって、複数の前記光源は、第１波長を中心波長とする、第１光源と、前記第１波長とは異なる第２波長を中心波長とする、第２光源と、を含む。
【００１０】
本願の第５発明は、第１発明ないし第４発明のいずれかの捕虫器であって、複数の前記光源は、４９５ｎｍ以上５７０ｎｍ以下の緑色波長帯域を中心波長とする光源を含む。
【００１１】
本願の第６発明は、第１発明ないし第５発明のいずれかの捕虫器であって、複数の前記光源は、３１５ｎｍ以上３８０ｎｍ以下の近紫外線ＵＶ−Ａ領域の波長帯域、または、３８０ｎｍ以上４５０ｎｍ以下の紫色波長帯域を中心波長とする光源を含む。
【００１２】
本願の第７発明は、第１発明ないし第６発明のいずれかの捕虫器であって、前記光源および前記反射部材の軸方向一方側、かつ、前記ファンの軸方向他方側に配置され、軸方向に沿う板状の粘着部材取付部をさらに有する。
【００１３】
本願の第８発明は、第１発明ないし第７発明のいずれかの捕虫器であって、前記光源の軸方向他方側において径方向に拡がる傘部と、少なくとも前記傘部から前記筒状部の軸方向他方側の開口までを筒状に覆う選択部材と、をさらに有し、前記選択部材は、複数の貫通孔を有する。
【発明の効果】
【００１４】
本願の第１発明から第８発明によれば、光を用いて昆虫を誘引し、ファンを用いて吸気することにより、捕虫器から離れた場所にいる昆虫も捕らえることができる。また、交換等のメンテナンスが必要な誘引剤や粘着シートを必須の構成としていないため、メンテナンスの手間を軽減しつつ、効率的に補虫できる。また、光源からの光を径方向外側に反射することにより、水平方向の広い範囲に光が届く。したがって、昆虫を広い範囲から誘引できる。
【００１５】
特に、本願の第２発明によれば、光源からの光を効率良く径方向外側へと届けることができる。したがって、昆虫をより広い範囲から誘引できる。
【００１６】
特に、本願の第３発明によれば、反射した光がユーザの目に入りにくい。したがって、取扱いやすい。
【００１７】
特に、本願の第４発明によれば、２種類以上の波長帯域の光を用いることにより、誘引される昆虫の種類が増える。これによって、より効率良く昆虫を捕らえることができる。
【００１８】
特に、本願の第５発明によれば、ミナミキイロアザミウマ、チャノキイロアザミウマ、ネギアザミウマ、タバココナジラミ、ナガマドキノコバエ、チャバネアオカメムシ等の昆虫を効率良く誘引できる。
【００１９】
特に、本願の第６発明によれば、ミカンキイロアザミウマ、チャノキイロアザミウマ、ネギアザミウマ、タバココナジラミ、ナガマドキノコバエ、アシグロハモグリバエ、ショウジョウバエ、チャバネアオカメムシ等の昆虫を効率良く誘引できる。
【００２０】
特に、本願の第７発明によれば、捕らえられる昆虫の種類を知りたい場合に、粘着部材取付部に粘着部材を取り付ける。ファンを用いて捕虫すると、捕虫部材に溜まった昆虫は乾燥してしまうため、種類の判別が困難になる。そこで、粘着部材を配置することにより、一部の昆虫を判別可能に捕らえることができる。粘着部材取付部および粘着部材を軸方向に沿って配置することにより、粘着部材取付部および粘着部材が径方向外側からファンへと向かう気流の妨げとなりにくい。
【００２１】
特に、本願の第８発明によれば、選択部材を配置することにより、捕らえる昆虫の大きさを選択できる。これにより、ミツバチなどの大きな益虫を捕らえることなく、小さな害虫を捕らえることができる。
【図面の簡単な説明】
【００２２】
【図１】一実施形態に係る捕虫器の側面図である。
【図２】一実施形態に係る捕虫器の側面図である。
【図３】一実施形態に係る捕虫器の断面図である。
【図４】一実施形態に係る捕虫器の断面図である。
【図５】一実施形態に係る捕虫器の使用時の様子を示した側面図である。
【図６】一実施形態に係る捕虫器のファン収容部、取付部および粘着部材の上面図である。
【図７】変形例に係る捕虫器の側面図である。
【図８】変形例に係る選択部材の部分側面図である。
【図９】変形例に係る選択部材の部分側面図である。
【図１０】変形例に係る選択部材の部分側面図である。
【図１１】変形例に係る選択部材の部分側面図である。
【図１２】変形例に係る選択部材の部分側面図である。
【発明を実施するための形態】
【００２３】
以下では、本発明の好適な実施形態について、図面を参照しつつ説明する。なお、本願では、ファンに対して光源側を上方向、光源に対してファン側を下方向として上下方向を定義する。なお、この方向の定義は、捕虫器の使用時の姿勢を限定するものではない。
【００２４】
＜１．第１実施形態＞
図１および図２は、一実施形態に係る捕虫器１の側面図である。捕虫器１は、飛翔性昆虫（以下、単に「昆虫」と称する）を捕らえるための装置である。図３および図４は、捕虫器１の断面図である。図５は、捕虫器１の使用時の様子を示した側面図である。図６は、捕虫器１のファン収容部２４、粘着部材取付部４３および粘着部材１７の上面図である。
【００２５】
捕虫器１は、筐体１１と、光源１２と、台座部１３と、反射部材１４と、ファン１５とを有する。捕虫器１の各部は、中心軸９を中心として配置される。ここで、中心軸９に平行な方向を「軸方向」とする。また、光源１２に対してファン１５側を軸方向一方側、ファン１５に対して光源１２側を軸方向他方側とする。また、以下では、軸方向一方側を下方向または下側、軸方向他方側を上方向または上側と称する場合がある。
【００２６】
筐体１１は、上方から下方へ向かって順に、傘部２１、上側柱部２２、下側柱部２３およびファン収容部２４を有する。
【００２７】
傘部２１は、平板状の下傘部２１１と、下傘部２１１の上方をドーム状に覆う上傘部２１２とを有する。下傘部２１１および上傘部２１２の間の空間には、光源１２およびファン１５に電力を供給するための回路基板１０が収容されている。また、傘部２１の上部には、捕虫器１をぶら下げるための取っ手２５が取り付けられている。
【００２８】
上側柱部２２は、傘部２１の下面から下方へ延びる柱状の部位である。本実施形態では、上側柱部２２は、傘部２１の下傘部２１１と一体に形成されている。下側柱部２３は、ファン収容部２４の上面から上方へ延びる柱状の部位である。図３に示すように、上側柱部２２と下側柱部２３とは、台座部１３の一部を挟み込んでねじ止めされる。これにより、傘部２１および上側柱部２２と、下側柱部２３およびファン収容部２４とが互いに固定されるとともに、台座部１３が筐体１１に対して固定される。
【００２９】
ファン収容部２４は、内部の空間にファン１５を収容する。ファン収容部２４は、ファン１５の外側を覆う筒状部２４１と、筒状部２４１の軸方向他方側を覆う上板部２４２と、筒状部２４１の軸方向一方側を覆う下板部２４３と、筒状部２４１の外周をさらに覆うカバー部２４４と、カバー部２４４の外周面から径方向外側へ拡がるフランジ２４５とを有する。
【００３０】
上板部２４２は、上下方向に貫通する複数の吸引孔２４６を有する。また、下板部２４３は、上下方向に貫通する複数の排出孔２４７を有する。図６に示すように、本実施形態の吸引孔２４６は、円弧状に延びる。なお、吸引孔２４６および排出孔２４７はそれぞれ、捕獲対象とする昆虫が通過できる大きさであることが好ましい。
【００３１】
フランジ２４５は、捕虫袋１６を取り付けるための捕虫部材取付部である。捕虫器１の使用時には、図３〜図５に示すように、筒状部２４１の軸方向一方側の開口を覆う位置に、捕虫袋１６が取り付けられる。
【００３２】
捕虫袋１６は、通気性を有する捕虫部材である。本実施形態の捕虫袋１６は、不織布により袋状に形成される。なお、捕虫袋１６は、通気性を有する素材であれば、布、紙、目の細かいネットや網等のその他の素材が用いられてもよい。また、本発明の捕虫部材は、袋状の部材に限られない。捕虫部材は、例えば、枠体に通気性を有する素材を張ったものであってもよい。
【００３３】
また、本実施形態の捕虫袋１６は、その開口部付近がゴムによって軽く閉められている。当該ゴム部分をフランジ２４５の上側においてカバー部２４４の周囲に沿わせることにより、ゴム部分がフランジ２４５に当たって捕虫袋１６が下方へとずり落ちるのを抑制する。捕虫袋１６の交換時には、当該ゴム部分を広げて捕虫器１から捕虫袋１６を取り外すことができるため、手を汚すことなく捕虫袋１６を交換できる。このような捕虫袋１６を用いることにより、捕虫袋１６の交換を容易に行うことができる。
【００３４】
光源１２は、傘部２１の下面に配置された複数のＬＥＤ光源３０により構成される。それぞれのＬＥＤ光源３０の光軸は、軸方向一方側に向けられている。このため、ＬＥＤ光源３０は、少なくとも軸方向一方側へ光を出射する。
【００３５】
本実施形態では光源１２は６つのＬＥＤ光源３０を有する。６つのＬＥＤ光源３０は、中心軸９を中心とする円周に沿って、周方向に略等間隔に配置される。
【００３６】
６つのＬＥＤ光源３０は、第１波長を中心波長とする３つの第１光源３１と、第２波長を中心波長とする３つの第２光源３２とを含む。第２波長は、第１波長とは異なる波長である。このように、２種類以上の波長帯域の光を用いることにより、誘引される昆虫の種類が増える。これによって、効率良く昆虫を誘引できる。第１光源３１と第２光源３２とは、周方向に交互に配置される。
【００３７】
本実施形態では、第１波長は、４９５ｎｍ以上５７０ｎｍ以下の緑色波長帯域の波長である。この第１波長の光により、ミナミキイロアザミウマ、チャノキイロアザミウマ、ネギアザミウマ、タバココナジラミ、ナガマドキノコバエ、チャバネアオカメムシ等の昆虫を効率良く誘引できる。また、第２波長は、３１５ｎｍ以上３８０ｎｍ以下の近紫外線ＵＶ−Ａ波長帯域の波長、または、３８０ｎｍ以上４５０ｎｍ以下の紫色波長帯域の波長である。この第２波長の光により、ミカンキイロアザミウマ、チャノキイロアザミウマ、ネギアザミウマ、タバココナジラミ、ナガマドキノコバエ、アシグロハモグリバエ、ショウジョウバエ、チャバネアオカメムシ等の昆虫を効率良く誘引できる。
【００３８】
台座部１３は、反射部材１４を保持するための部材である。台座部１３は、本体部４１と、２つの固定部４２と、粘着部材取付部４３とを有する。本実施形態の台座部１３は、一体に成型された樹脂により構成される。
【００３９】
本体部４１の外表面は、下方に向かうにつれて拡がる円錐台形状である。本体部４１は、中心軸９に沿って配置される。本体部４１の外表面には、反射部材１４が固定される。
【００４０】
固定部４２はそれぞれ、本体部４１の下端部かつ外端部から径方向外側に向かって板状に延びる。固定部４２には、上下に貫通する固定孔４２０（図３参照）が設けられている。上側柱部２２と下側柱部２３とは、固定部４２を挟み込んでねじ止めされる。このとき、固定用のねじが固定孔４２０に挿入されるため、台座部１３の水平方向の移動が抑制される。
【００４１】
粘着部材取付部４３は、台座部１３から下方へ延びる板状の部位である。粘着部材取付部４３の少なくとも一部は、光源１２および反射部材１４の軸方向一方側、かつ、ファン１５の軸方向他方側に配置される。また、粘着部材取付部４３は、軸方向に沿って配置される。
【００４２】
反射部材１４は、光源１２の軸方向一方側、かつ、ファン１５の軸方向他方側に配置される。反射部材１４は、その表面が鏡面であり、光の反射率が高い。反射部材１４は、光源１２からの光を径方向外側へと反射させる。本実施形態の反射部材１４は、フレキシブルな素材で形成されている。反射部材１４は、台座部１３の本体部４１の外表面に沿って貼付される。これにより、反射部材１４は、軸方向に沿って配置される円錐台状の傾斜面となる。なお、当該傾斜面は、多角形錘台状であってもよい。また、図４に示すように、反射部材１４の傾斜面は、光源１２と軸方向に重なる位置に配置される。
【００４３】
図４中には、光源１２の光軸に沿う光の進む経路が、実線矢印で示されている。反射部材１４が光源１２からの光を径方向外側へと反射させることにより、光源１２の光が水平方向の広い範囲まで届く。これにより、農園などの広い土地で捕虫器１を用いる場合に、捕虫器１の有効面積（効果が及ぶ範囲）が広くなる。特に、上記のように光源１２と反射部材１４の傾斜面を配置することにより、光源１２から出射された光を効率良く径方向外側へと届けることができる。したがって、昆虫をより広い範囲から誘引できる。
【００４４】
また、図４に示すように、反射部材１４は、光源１２の光軸に沿う光を、軸方向に対して直交する方向（水平方向）よりもやや軸方向一方側（下側）へと反射する。具体的には、反射部材１４は、光源１２の光軸に沿う光を、軸方向に対して直交する方向よりも２°軸方向一方側に傾いた方向へと反射する。これにより、ユーザが捕虫器１の設置やメンテナンスを行う際に、反射した光がユーザの目に入りにくい。したがって、ユーザが捕虫器１を取扱いやすい。このように、反射部材１４が、光源１２の光軸に沿う光を、軸方向に対して直交する方向よりも１°〜５°軸方向一方側に傾いた方向へと反射することが好ましい。その結果、水平方向に近い角度で広い範囲に光を拡散できるとともに、反射した光がユーザの目に入りにくくなる。
【００４５】
ファン１５は、光源１２の軸方向一方側に、光源１２と間隔を空けて配置される。ファン１５は、軸方向他方側の気体を軸方向一方側へと排出する軸流ファンである。ファン１５が駆動させると、図４虫の破線矢印のように、吸引孔２４６を介してファン収容部２４の上方の空気を吸引し、排出孔２４７を介してファン収容部２４の下方へと排出する。これにより、傘部２１とファン収容部２４の間の空間においては、当該空間の径方向外側から径方向内側へと向かう気流が発生する。
【００４６】
捕虫器１の使用時には、光源１２を点灯させるとともにファン１５を駆動させる。すると、光源１２から反射部材１４を介して周囲に照射される光に誘引されて捕虫器１の周囲に集まった昆虫が、ファン１５により生じた気流によってファン１５の方へと吸引される。そして、ファン１５の下方に配置された捕虫袋１６に捕らえられる。
【００４７】
このように、この捕虫器１では、ファン１５によって吸引された昆虫を通気性を有する捕虫袋１６で捕らえる。昆虫を粘着性の捕虫部材で捕らえる場合、昆虫の張り付いた捕虫部材を交換する際に手が汚れる等の手間が生じる。それに対し、この捕虫器１の捕虫袋１６は交換が容易であり、捕虫部材の交換時の手間が軽減される。
【００４８】
捕虫器１の使用時には、捕虫袋１６に捕らえられた昆虫は、ファン１５からの気流を受け続けるため、乾燥して粉砕されやすくなる。このため、捕らえられた昆虫の種類を判別しにくくなる。そこで、本実施形態の捕虫器１では、図５に示すように、使用時に、粘着部材取付部４３に粘着部材１７を取り付けることができる。このようにすれば、捕虫器１の周囲からファン１５へと向かう昆虫の一部が粘着部材１７に貼り付く。粘着部材１７に張り付いた昆虫は粉砕されないため、どのような種類の昆虫が捕虫器１によって捕らえられているかを判別できる。このように、捕らえられた昆虫の種類を知りたい場合には、粘着部材１７を用いることができる。
【００４９】
本実施形態では、図５および図６に示すように、粘着部材取付部４３および粘着部材１７を軸方向に沿って配置する。これにより、粘着部材取付部４３および粘着部材１７が、捕虫器１の径方向外側からファン１５へと向かう気流の妨げとなりにくい。
【００５０】
＜２．変形例＞
以上、本発明の一実施形態について説明したが、本発明は、上記の実施形態に限定されるものではない。
【００５１】
図７は、一変形例に係る捕虫器１Ａの側面図である。図８は、図７の例の捕虫器１Ａの選択部材１８Ａの部分側面図である。この捕虫器１Ａは、上記の実施形態の捕虫器１に加え、選択部材１８Ａを有する。この捕虫器１Ａにおいて、傘部２１Ａは、光源１２Ａの軸方向他方側において径方向に拡がる。選択部材１８Ａは、少なくとも、傘部２１Ａから、ファン収容部２４Ａの筒状部２４１Ａの軸方向他方側の開口までを筒状に覆う。図７の例では、選択部材１８Ａは、傘部２１Ａから、筒状部２４１Ａの軸方向一方側の端部までを筒状に覆う。
【００５２】
選択部材１８Ａは、複数の貫通孔１８０Ａを有するネット状の部材である。貫通孔１８０Ａの貫通孔１８０Ａは、捕虫袋の気流を通すための孔とくらべて十分大きい。これにより、捕虫器１Ａの駆動時に、ファンにより生じた気流によって捕虫器１Ａの径方向外側からファン収容部２４Ａの軸方向他方側の開口を介してファンへと向かう気流が選択部材１８Ａの貫通孔１８０Ａを通過する。これにより、貫通孔１８０Ａよりも大きな昆虫が捕虫器１Ａによって捕らえられない。すなわち、選択部材１８Ａを配置することにより、捕らえる昆虫の大きさを選択できる。
【００５３】
農園において、例えば、ミツバチ等の昆虫は受粉を行うために必要な益虫である。このため、このような益虫を捕虫器１Ａで捕らえてしまうと、受粉が行われないという問題が生じる。しかしながら、アザミウマやコナジラミ等の害虫が誘引される波長帯域の光によって、ミツバチ等の益虫も誘引されてしまう。
【００５４】
そこで、図７の例のように、貫通孔１８０Ａを有する選択部材１８Ａをファンへ向かう気流の経路上に配置することにより、貫通孔１８０Ａを通過できる昆虫のみを選択的に捕らえることができる。貫通孔１８０Ａは、例えば、その短径が４ｍｍ〜６ｍｍである。このような大きさにすれば、アザミウマやコナジラミ等の小さな害虫は貫通孔１８０Ａを通過可能であり、ミツバチ等の益虫は貫通孔１８０Ａを通過できない。
【００５５】
なお、図７の例の捕虫器１Ａでは、図８に示すように、選択部材１８Ａは四角い貫通孔１８０Ａを有するフレキシブルなネット状の部材である。しかしながら、選択部材は、硬い板状の部材や、フレキシブルなシート状の部材に貫通孔が設けられたものであってもよい。
【００５６】
図９〜図１２は、他の変形例に係る選択部材１８Ｂ〜１８Ｅの部分側面図である。図９の例の選択部材１８Ｂは、円形の貫通孔１８０Ｂを有する。図９の例のように、貫通孔の形状は四角形に限られない。選択部材の貫通孔は、例えば、三角形、五角形、六角形その他の任意の形状であってもよい。
【００５７】
図１０の例の選択部材１８Ｃは、円形の貫通孔１８０Ｃのそれぞれに、突起１８１Ｃが設けられている。突起１８１Ｃは、貫通孔１８０Ｃの縁部の一部から貫通孔１８０Ｃの中心へ向かって突出する。図１１の例の選択部材１８Ｄは、円形の貫通孔１８０Ｄのそれぞれに、３つの突起１８１Ｄが設けられている。３つの突起１８１Ｄは、貫通孔１８０Ｄの縁部の３箇所から貫通孔１８０Ｄの中心へ向かって突出する。図１２の例の選択部材１８Ｅは、四角形の貫通孔１８０Ｅのそれぞれに、４つの突起１８１Ｅが設けられている。４つの突起１８１Ｅはそれぞれ、貫通孔１８０Ｅの角部から貫通孔１８０Ｅの中心へ向かって突出する。
【００５８】
図１０〜図１２の例では、各貫通孔１８０Ｃ〜１８０Ｅに、１つまたは複数の突起１８１Ｃ〜１８１Ｅが設けられている。これにより、比較的大きな昆虫が貫通孔１８０Ｃを通ってファン側へと吸引されるのをより抑制できる。
【００５９】
また、捕虫器の細部の構成については、本願の各図に示された形状と、相違していてもよい。また、上記の実施形態や変形例に登場した各要素を、矛盾が生じない範囲で、適宜に組み合わせてもよい。
【符号の説明】
【００６０】
１，１Ａ  捕虫器
９  中心軸
１１  筐体
１２，１２Ａ  光源
１４  反射部材
１５  ファン
１６  捕虫袋
１７  粘着部材
１８Ａ，１８Ｂ，１８Ｃ，１８Ｄ，１８Ｅ  選択部材
２１，２１Ａ  傘部
２４，２４Ａ  ファン収容部
３０  ＬＥＤ光源
３１  第１光源
３２  第２光源
４３  粘着部材取付部
１８０Ａ，１８０Ｂ，１８０Ｃ，１８０Ｄ，１８０Ｅ  貫通孔
２４１，２４１Ａ  筒状部
２４５  フランジ
【図１】
2019122342.tif 000003
【図２】
2019122342.tif 000004
【図３】
2019122342.tif 000005
【図４】
2019122342.tif 000006
【図５】
2019122342.tif 000007
【図６】
2019122342.tif 000008
【図７】
2019122342.tif 000009
【図８】
2019122342.tif 000010
【図９】
2019122342.tif 000011
【図１０】
2019122342.tif 000012
【図１１】
2019122342.tif 000013
【図１２】
2019122342.tif 000014